(57)【要約】【課題】  サイドノック式シャ−プペンシルに於て、軸の中心線に垂直な方向の全周囲からノック操作を可能にすることである。【解決手段】  軸１０をグリップ位置後部１０ｃで前後に分断し、伝達子１９、座金１８、従動子１５を前軸１０ａと中軸６に滑動可能なすきまばめ的に配置し、従動子１５の従動子円錐台部側面１５ａにノックボタン１６の前端部１６ａを滑動可能に接触させ、非ノック時は軸１０とノックボタン１６の中心線は一致していて、その後端部１６ｂは固定子１７の固定子円錐台部側面１７ａに滑動可能に接触させ、固定子１７は中軸６と後軸１０ｂに固定されているのでノックボタン１６を押圧すれば従動子１５は前方に押され、その力は伝達子１９、伝達ピン１３、スリット１４を通り、中軸内伝達子２０、しんチャック４に伝わりスプリング７の圧力に起因する力に抗して、しんチャック４を前進させる。【選択図】  図１
2006076274.tif 000002
【特許請求の範囲】
【請求項１】
軸をグリップ位置後部で前後に分断し、軸と中心線を共有する中軸を軸の中に設け、前軸と中軸の間に滑動可能なすきまばめ的に配置した伝達ピン穴を有し、軸と中心線を共有する円筒形の部品を伝達子としその後部に調整用の座金を介して伝達子に接する状態で同様に配置した円筒形部であって非ノック時はしんチャックの行程より少し長く軸の外部に出ている後部に軸外径と同じ外径の円筒形部を有し、軸外径と同じ外径の底面と中軸外径と同じ外径の上底を持つ円錐台を前記の円筒形部に底面が接合する向きにして一体化し軸と中心線を共有し滑動可能なすきまばめ的に配置した部品を従動子とし、非ノック時は軸と中心線を共有し、軸と内外径とも同じでノックに適した長さの円筒形の部品の前端部を従動子の円錐台部側面に接触させ配置してノックボタンとし、従動子と同形状で前後を反転させた円錐台部側面にノックボタンの後端部を接触させ、円錐台部と軸外径と同じ外径の円筒形部は中軸にしまりばめ的に固定し、軸内径と同じ外径の円筒形部は後軸と中軸の間にしまりばめ的に固定し固定子とし、中軸に、伝達ピン穴に伝達ピンを装入時に伝達ピンが滑動可能なスリットをしんチャックの行程に支障のない長さにあけ、中軸内に伝達ピン穴を有し軸と中心線を共有する円筒形部と円錐台形の空間を持つ部分が一体となり中心部にしんの通り穴を設け滑動可能なすきまばめ的に配置した部品を中軸内伝達子とし伝達ピンで伝達子と結合しノック機構を構成しいるノック機構を有するサイドノック式シャ−プペンシル。
【請求項２】
チャックリングを受け止めるチャックリング受けは軸と中心線を共有し内外径の異なる円筒形体の集合体であって、外径は後部より中軸内に脱着可能なすきまばめ的な部分、中軸先端部のねじの谷の径までの外径を有し口金に脱着可能なすきまばめ的部分から成り、その段差部を中軸先端面に密接させてあり、内径は後部よりスプリングを受け止めることが出来しんチャックに接触しない部分、前部の外径が後部の外径より大きく概ね中央に段差を持つチャックリングと夫々滑動可能なすきまばめ的な部分から成り、チャクリングを受け止めるための段差の位置は中軸先端面よりチャックリングの長さの約半分前方にし、チャックリング先端面からチャックリング受け先端面までの長さはチャックリングの行程とし、チャックリング受け先端面は口金内前部に設けた円筒形空間部の段差になっているチャックリング解放部に密接するように口金内部のめねじと中軸先端部のおねじで締めることを特徴とするチャックリング受けを有する請求項１記載のサイドノック式シャ−プペンシル。
【請求項３】
スプリング受けを兼ねているチャックリング受け後端面に芯の保持に必要な圧力に圧縮されたスプリングの前端部を密接し、中軸内面としんチャック軸部との間にそれらに接触しないように配置したスプリングの後端部は軸と中心線を共有し外面は中軸内面と滑動可能なすきまばめ的な円筒形のスプリング止めは後端面をしんチャック後端面と同一面に成るように、しまりばめ的にまたは、双方にねじを作り締めて固定し中軸内伝達子の前端面と密接するように配置することを特徴とする請求項２記載のサイドノック式シャ−プペンシル。
【請求項４】
後部にノックボタンを付加する場合は中軸内伝達子後端部に中軸内面と滑動可能なすきまばめ的な円筒形の管を結合させ配置してしんタンクとすることを特徴とする請求項３記載のサイドノック式シャ−プペンシル。
【発明の詳細な説明】
【技術分野】
【０００１】  本発明は、軸と同内外径のノックボタンを軸のグリップの後方に有し、且つ軸の中心線に垂直な方向の全周囲からノックできるサイドノック式シャープペンシル関する。
【背景技術】
【０００２】  従来、サイドノック式シャプペンシルのノックボタンは、軸のグリップ後方側壁周辺の一方向に設けられいて軸の全周囲からノックすることは出来ない。【０００３】
【特許文献１】  特開２００３−２２０７９３号公報
【発明の開示】
【発明が解決しようとする課題】
【０００４】  上述の如く、従来技術のサイドノック式シャープペンシルは、ノックボタンの位置が軸側壁周辺の一方向に設けてあり、軸の中心線に垂直な方向の全周囲からノックすることが出来ずノック時にノックボタンをノック可能な位置にするため軸を握り変える必要があった。【０００５】  または、ノックボタンの位置をノック可能な位置に保持しながら筆記し、ノックしなければならなかった。【０００６】  本発明は、このような点を鑑みて、軸側壁周辺のノックボタンの方向を気遣うことなくまた、軸を握り変えることなく、ノックすることが出来るようにすることにある。
【課題を解決するための手段】
【０００７】  本発明は、軸をグリップ位置後部で前後に分断し、軸と中心線を共有する中軸を軸の中に設け、前軸と中軸の間に滑動可能なすきまばめ的に配置した伝達ピン穴を有し、軸と中心線を共有する円筒形の部品を伝達子としその後部に調整用の座金を介して伝達子に接する状態で同様に配置した円筒形部であって非ノック時はしんチャックの行程より少し長く軸の外部に出ている後部に軸外径と同じ外径の円筒形部を有し、軸外径と同じ外径の底面と中軸外径と同じ外径の上底を持つ円錐台を前記の円筒形部に底面が接合する向きにして一体化し、軸と中心線を共有し滑動可能なすきまばめ的に配置した部品を従動子とし、非ノック時は軸と中心線を共有し、軸と内外径とも同じでノックに適した長さの円筒形の部品の前端部を従動子の円錐台部側面に接触させ配置してノックボタンとし、従動子と同形状で前後を反転させた円錐台部側面にノックボタンの後端部を接触させ、円錐台部と軸外径と同じ外径の円筒形部は中軸にしまりばめ的に固定し、軸内径と同じ外径の円筒形部は後軸と中軸の間にしまりばめ的に固定し固定子とし、中軸に、伝達ピン穴に伝達ピンを装入時に伝達ピンが滑動可能なスリットをしんチャックの行程に支障のない長さにあけ、中軸内に伝達ピン穴を有し軸と中心線を共有する円筒形部と円錐台形の空間を持つ部分が一体となり中心部にしんの通り穴を設け滑動可能なすきまばめ的に配置した部品を中軸内伝達子とし伝達ピンで伝達子と結合しノック機構を構成する。【０００８】  チャックリングを受け止めるチャックリング受けは軸と中心線を共有し内外径の異なる円筒形体の集合体であって、外径は後部より中軸内に脱着可能なすきまばめ的な部分、中軸先端部のねじの谷の径までの外径を有し口金に脱着可能なすきまばめ的部分から成り、その段差部を中軸先端面に密接させてあり、内径は後部よりスプリングを受け止めることが出来しんチャックに接触しない部分、前部の外径が後部の外径より大きく概ね中央に段差を持つチャックリングと夫々滑動可能なすきまばめ的な部分から成り、チャクリングを受け止めるための段差の位置は中軸先端面よりチャックリングの長さの約半分前方にしチャックリング先端面からチャックリング受け先端面までの長さはチャックリングの行程とし、チャックリング受け先端面は口金内前部に設けた円筒形空間部の段差になっているチャックリング解放部に密接するように口金内部のめねじと中軸先端部のおねじで締める。【０００９】  スプリング受けを兼ねているチャックリング受け後端面に芯の保持に必要な圧力に圧縮されたスプリングの前端部を密接し、中軸内面としんチャック軸部との間にそれらに接触しないように配置したスプリングの後端部は軸と中心線を共有し外面は中軸内面と滑動可能なすきまばめ的な円筒形のスプリング止めは後端面をしんチャック後端面と同一面に成るように、しまりばめ的にまたは、双方にねじを作り締めて固定し中軸内伝達子の前端面と密接するように配置する。【００１０】  後部にノックボタンを付加する場合は中軸内伝達子後端部に中軸内面と滑動可能なすきまばめ的な円筒形の管を結合させ配置してしんタンクとする。
【発明の効果】
【００１１】  この発明よれば、軸の内側に中軸を設け中軸に円錐台と円筒から成る従動子と固定子の間に軸と内外径とも同じ円筒形のノックボタンを円錐台部側面に接触させ、軸をグリップ位置前後で前後に分断した間に配置し、軸の中心線に垂直な方向の全周囲からノックすることが出来る。【００１２】  標準的な軸の外径において、ノック操作によるしん繰り出しに必要なチャックの行程距離を確保するために中軸の内外径を小さくすることなり、チャックリングの内外径も小さく成るが中軸先端面にチャックリング受けを口金で固定し、中軸肉厚の約半分チャックリング内外径を大きくすることが出来る。【００１３】  ノック操作に於てノックボタンを押す力の分力に中心線に平行で前方向かう分力がある場合その分力は有効に従動子を始め、しんチャック迄を前進させる力となる。
【発明を実施するための最良の形態】
【００１４】  本発明の第１の実施の形態を図１、図２に基づき説明する。【００１５】  図１、図２は本発明の第１の実施の形態の主要部分の断面図であり、特に図２は引出線を明確にするため平行線を引いていない図である。【００１６】  図に示すように、軸１０をグリップ位置後部１０ｃで前後に分断し、軸１０と中心線を共有する中軸６を軸１０の中に設け、軸１０と中心線を共有する円筒形の伝達子１９を前軸１０ａと中軸６の間に滑動可能すきまばめ的に配置する。【００１７】  伝達子１９の後端面に座金１８を介して密接している従動子１５は、軸１０と中心線を共有し、前部から順次、軸１０の内側と中軸６の外側との間に滑動可能なすきまばめ的に配置した円筒形部１５ｂと、中軸６の外側に滑動可能なすきまばめ的に配置した外径が軸１０の外径と同じ円筒形部１５ｃと、軸１０の外径と同じ外径の底面と中軸６の外径と同じ外径の上底の円錐台部１５ｄを中軸６の外側に滑動可能なすきまばめ的に配置し、一体化している。【００１８】  ノックボタン１６は非ノック時は軸１０と中心線を共有し、軸１０と内外径とも概ね同じでノックするのに適した長さの円筒形の部品であって、その前端部１６ａは従動子円錐台部側面１５ａに滑動可能に接触させ、後端部１６ｂは従動子１５と同形状で前後を反転させた固定子１７の固定子円錐台部側面１７ａに滑動可能に接触させ、固定子１７は後軸１０ｂと中軸６に固定されている。【００１９】  中軸６には伝達子１９の伝達ピン穴１９ａに伝達ピン１３を装入時に伝達ピン１３が滑動可能なスリット１４をしんチャック４の行程に支障のない長さにあけ、伝達子１９は中軸内伝達子ピン穴２０ａを持つ中軸内伝達子２０と伝達ピン１３で結合させている。【００２０】  中軸内伝達子２０は軸１０と中心線を共有する円筒形部２０ｂと円錐台形の空間を持つ部分２０ｃが一体化され中心部に、しんの通る穴を設け中軸６内に滑動可能なすきまばめ的に配置され、その前端面はスプリング止め１２と、しんチャック４との後端面に密接している。【００２１】  チャックリング５を受け止めるチャックリング受け１１は、軸１０と中心線を共有し内外径の異なる円筒形体の集合体であって、外径は後部より中軸６内に脱着可能なすきまばめ的な部分、中軸先端部の結合ねじ６ａの谷の径までの外径を有し口金３に脱着可能なすきまばめ的な部分から成り、その段差部１１ａを中軸先端面６ｂに密接させてあり、内径は後部よりスプリング７を受け止めることが出来、しんチャック４に接触しない部分１１ｃ、前部の外径が後部の外径より大きく、概ね中央部に段差を持つチャックリング５と夫夫滑動可能なすきまばめ的な部分から成り、チャックリング５を受け止めるための段差１１ｂの位置は中軸先端面６ｂより、チャックリング５の長さの約半分以上前方にし、チャックリング先端面５ａからチャックリング受け先端面１１ｄまでの長さは、チャックリングの行程とし、チャックリング受け先端面１１ｄは口金３内前部に設けた円筒形空間部の段差になっているチャックリング解放部３ｂに密接するように口金内部のめねじ３ａと中軸先端部のおねじ６ａで締め固定されている。【００２２】  スプリング受けを兼ねているチャックリング受け後端面１１ｅに、しんの保持に必要な圧力に圧縮されたスプリング７の前端部７ａを密接し、中軸内面６ｃとしんチャック中央部４ａとの間に、それらに極力接触しないようにスプリング７を配置し、その後端部７ｂは、スプリング止め１２の前端面１２ａに密接し、スプリング止め１２は軸１０と中心線を共有する円筒形体であって、外面１２ｃは中軸内面６ｃとは滑動可能なすきまばめ的になっており、内面１２ｄはしんチャック後部４ｂにスプリング止め後端面１２ｂとしんチャック後端面４ｃが同一面成るようにして、しまりばめ的に固定するか、または、双方にねじを作り締めて固定し中軸内伝達子の前端面２０ｄと密接している。【００２３】  後部にノックボタンを付加する場合は中軸内伝達子後端部２０ｅに中軸内面６ｃと滑動可能なすきまばめ的な円筒形の管しんタンク８を結合させ配置する。【００２４】  軸１０と中軸６の内外径、固定子円錐台部側面１７ａと従動子円錐台部側面１５ａの中心線に対する傾斜角を変えて使用感を使用者の要望に応えることが出来る。【００２５】  伝達子１９と従動子１５は一体化することは可能であり、また、口金３と前軸１０ａは一体に成っているが分割し、ねじで結合することもできる。【００２６】  このように、本発明に於てノックボタン１６を軸１０の中心線に垂直方向に押すとノックボタン前端部１６ａは従動子円錐台部側面１５ａに、ノックボタン後端部１６ｂは固定子円錐台部側面１７ａに夫々滑動可能に接触しているので前記した垂直方向に押す力は軸１０の中心線に平行な力と変わりスプリング７の圧力に起因する力に抗して従動子１５を前進させ、前記した押す力を解除するとスプリング７の圧力に起因する力で従動子１５を後退させ、この従動子１５の前後運動は座金１８、伝達子１９、伝達ピン１３、中軸内伝達子２０を介して、スプリング止め１２、しんチャック４、チャックリング５を前後運動させ、しんタンク８内部に収納されたしん９を一定量ずつ繰り出す機構となっている。【００２７】  ノックボタン１６をノック操作する時その押す力に軸１０の中心線に平行で前方に向かう分力が有るとその力は従動子１５を前進させる力として作用し、しん繰り出し機構を作動させる有効な力として作用する。【００２８】  図３は本発明の第２の実施の形態の主要部分の断面図である。【００２９】  第２の実施の形態と第１の実施の形態との柤違点はスプリング７１を前軸１０ａと中軸６の間に配置したことと、このため軸前部１０ａの内部にスプリング受け１０ｄを設けていることと、軸内伝達子２０にしんチャック後端部４ｂと密着させるための結合管２０ｆを設けていることである。【００３０】  図４は本発明の第３の実施の形態の主要部分の断面図である。【００３１】  第３の実施の形態と第１の実施の形態との相違点は、しんチャック繰り出し機構がダブルチャック式に成っていて、しんチャック４１、スプリング７２、スプリング止め１２１、連結管２１付加されることと、従動子１５座金１８伝達子１９を一体化していることと、しんタンク８の代りに中軸６を利用していることである。
【実施例】
【００３２】  実施する例として製造に適する主要部分の寸法として、最も標準的な軸１０の外径９ｍｍでは、中軸６の外径４．５ｍｍ、口金３と中軸６の結合ねじ３ａと６ａはメ−トル細目ねじ（ＪＩＳ  Ｂ  ０２０７）の規格を使用でき、本例では、ねじの呼びＭ４．５×０．５を使用していてしているが、軸１０の外径を９ｍｍ、中軸６の外径を４ｍｍ、ねじ呼びＭ４×０．５、同様に、９ｍｍ：３．５ｍｍ：Ｍ３．５×０．３５、８．５ｍｍ：３．５ｍｍ：Ｍ３．５×０．３５、８ｍｍ：３．５：Ｍ３．５×０．３５等も使用できる。【００３３】  なお、最近増えてきた軸の外径が１２ｍｍ前後のシャ−プペンシルに本発明を適用すれば、全面的に製造は容易に成ると共に、ノックボタン１６のストロ−クも長くなり従動子円錐台部側面１５ａと固定子円錐台部側面１７ａが軸１０の中心線に対する傾斜角を大きくすることが出来、ノックボタン１６を押圧する力を小さくすることが出来る。【００３４】  伝達ピン１３は、本例では平行ピン（ＪＩＳ  Ｂ  １３５４）Ｃ種０．８×３を使用している。【００３５】  従動子円錐台部側面１５ａと固定子円錐台部側面１７ａが軸１０の中心線に対する傾斜角は本例では約４５°としているが双方の傾斜角を同じように変えるか、夫々別々に変えてノックボタンの操作性を変え、夫々の使用者の好みに合った製品に出来る。【００３６】  例えば、ノックボタンを軸１０の中心線に垂直方向より前方に向けて押す場合は、固定子円錐台部側面１７ａの傾斜角を大きくしたほうが良い。
【図面の簡単な説明】
【００３７】
【図１】  本発明の第１の実施の形態の主要部分の断面図である。
【図２】  本発明の第１の実施の形態の主要部分の断面図であるが引出線を明確にするため平行斜線を引いてない図である。
【図３】  本発明の第２の実施の形態の主要部分の断面図である。
【図４】  本発明の第３の実施の形態の主要部分の断面図である。
【符号の説明】
【００３８】１      ガイドパイプ
２      しん戻り止め
３      口金
３ａ    口金内部のめねじ
３ｂ    チャックリング解放段差
４      しんチャック
５      チャックリング
６      中軸
７      スプリング
８      しんタンク
９      しん
１０    軸
１０ａ  前軸
１０ｂ  後軸
１１    チャックリング受け
１２    スプリング止め
１３    伝達ピン
１４    スリット
１５    従動子
１５ａ  従動子円錐台側面
１６    ノックボタン
１６ａ  ノックボタン前端部
１６ｂ  ノックボタン後前端部
１７    固定子
１７ａ  固定子円錐台部側面
１８    座金
１９    伝達子
２０    中軸伝達子
２１    連結管
【図１】
2006076274.tif 000003
【図２】
2006076274.tif 000004
【図３】
2006076274.tif 000005
【図４】
2006076274.tif 000006